(57)【要約】【課題】  ２本のコンベヤチェーンが所定の間隔をおいて、駆動スプロケット及び従動スプロケットに巻き掛けられ、該コンベヤチェーンの間には複数のバケットを等ピッチで取付けたバケットエレベータの上記バケットであって、運搬効率を高めると共に、コンベヤチェーンの寿命を向上させるバケットの提供。【解決手段】両コンベヤチェーン１２，１２の外方へ側板の一部を張出して突出空間１４，１４を形成することで容積を拡大し、開口側から見た内部空間を概略Ｔ型としてコンベヤケーシングの側板間の隙間を縮小し、下端部に溜まる堆積物１７を少なくする。【選択図】    図１
2005138980.tif 000002
【特許請求の範囲】
【請求項１】
２本のコンベヤチェーンが所定の間隔をおいて、駆動スプロケット及び従動スプロケットに巻き掛けられ、該コンベヤチェーンの間には複数のバケットを等ピッチで取付けたバケットエレベータの上記バケットにおいて、上記両コンベヤチェーンの外方へ側板の一部を張出して突出空間を形成することで容積を拡大し、開口側から見た内部空間を概略Ｔ型としたことを特徴とするバケットエレベータ用バケット。
【請求項２】
２本のコンベヤチェーンが所定の間隔をおいて、駆動スプロケット及び従動スプロケットに巻き掛けられ、該コンベヤチェーンの間には複数のバケットを等ピッチで取付けたバケットエレベータの上記バケットにおいて、上記両コンベヤチェーンの外方へ張り出すように側板には補助バケットを取着して突出空間を形成することで容積を拡大し、開口側から見た内部空間を概略Ｔ型としたことを特徴とするバケットエレベータ用バケット。
【請求項３】
上記外方向へ突出しない内側板には、コンベヤチェーンに取着されるボスを設けた請求項１、又は請求項２記載のバケットエレベータ用バケット。
【請求項４】
２本のコンベヤチェーンが所定の間隔をおいて、駆動スプロケット及び従動スプロケットに巻き掛けられ、該コンベヤチェーンの間には複数のバケットを等ピッチで取付けたバケットエレベータにおいて、上記バケットの側板の一部を外方向へ張出して突出空間を形成することで容積を拡大し、開口側から見た内部空間を概略Ｔ型とし、コンベヤチェーンの外リンクプレート形状をＬ型断面としてその一片を突出しない内側板に設けたボスにボルト締めし、他片を突出空間の背面と成る外背板に固定したことを特徴とするバケットエレベータ。
【請求項５】
２本のコンベヤチェーンが所定の間隔をおいて、駆動スプロケット及び従動スプロケットに巻き掛けられ、該コンベヤチェーンの間には複数のバケットを等ピッチで取付けたバケットエレベータにおいて、上記バケットの側板には補助バケットを取着して外方向へ張出す突出空間を形成することで容積を拡大し、開口側から見た内部空間を概略Ｔ型とし、コンベヤチェーンの外リンクプレート形状をＬ型断面としてその一片を側板に設けたボスにボルト締めし、他片を突出した補助バケットの背面と成る外背板に固定したことを特徴とするバケットエレベータ。
【発明の詳細な説明】
【技術分野】
【０００１】
本発明はセメントや石炭などの粉体及び粒状物を搬送する為のバケットエレベータ用のバケットに関するものである。
【背景技術】
【０００２】
通常、セメント、石炭、石灰石、鉄鉱石粉、フライアッシュ、土砂等の粉体及び粒状体を下方から上方へ運ぶ場合には、バケットエレベータ装置が使用されている。該バケットエレベータは、コンベヤチェーンにバケットを取付けて、該バケット内にセメントや石炭等の運搬物を入れて運搬することが出来、この場合、コンベヤチェーンが一列で使用される場合と二列で使用される場合とがある。比較的少量を運搬する場合には、コンベヤチェーン一列のバケットエレベータとなり、  該バケットの中央部が左右バランスよくコンベヤチェーンのリンクプレートに取付けられる。しかし、一列チェーンでは米国特許第２９４４６５７号に記載されているが、実際にはバケットは安定せず、大量の運搬物を運ぶことが出来ない為に、一般には二列コンベヤチェーンが一般的である。
【０００３】
比較的大量のセメントや石炭などを運搬する場合には二列コンベヤチェーンのバケットエレベータが使用され、該バケットは二列コンベヤチェーン間に取付けられる。セメントや石炭等の運搬物はバケットエレベータの下方で投入口から投入され、シュートを滑り落ちてバケット内に入る。しかし、上手くバケットに入らずに該バケットの周囲から零れるものや、軽い粉末の場合には舞い上がってバケットに入らないで浮遊した後で落下するものがあり、これがケーシングの底部に堆積する。堆積した運搬物はバケットで掬っても周辺部へ逃げて取り残しが生じる。
【０００４】
運搬物はバケットで掬い上げられたときにコンベヤチェーンに降り掛かり、ピン、ブッシュ、ローラ間に侵入し、その結果、コンベヤチェーンの駆動に伴ってスプロケットに噛み合う度に研磨材として作用し、これらピン、ブッシュ、ローラの摩耗を促進する。従来、コンベヤチェーン使用のバケットエレベータでは、下部ケーシング底とバケットやコンベヤチェーンとの間には隙間が多く、運搬物のデッドスペースが大きくなる。
【０００５】
デッドスペースが大きい場合は、運搬物が付着性のものは固化により、又摩耗性のものは摩耗によってバケットの先端を変形や摩耗で損傷し易い。さらには、堆積量が多い時や固着化する場合には掬い込み抵抗が大きくなり、コンベヤチェーン張力が増大し、コンベヤチェーンはさらに摩耗や変形で損傷し易い。従って、堆積が多くなるとコンベヤチェーンやバケットの使用寿命が短く成ってしまう。上記フライアッシュは粉体の中でも特に摩耗性が高く、搬送に使用されるコンベヤチェーンの寿命が問題視され、同じく鉄鉱石粉や焼結ダストも摩耗性が高い物質である為に、コンベヤチェーンの寿命が短くなる。
【０００６】
従来のバケットエレベータでは、二列のコンベヤチェーン間にバケットを取付けている為に、コンベヤチェーンのところはバケットがないので搬送には無駄の多い空間と成っている。現状のバケットエレベータ装置のケーシングは運搬量の割りには大型である。よって、バケットエレベータ装置の製作費、設備費、建設費、運転費、メンテナンス費が高くついてしまう。
【０００７】
図７(ａ)は従来のバケットエレベータの一部を示しているが、バケット(イ)、(イ)・・は二列コンベヤチェーン(ロ)、(ロ)の間に取付けられている。従って、バケット(イ)とケーシング(ハ)との間には隙間(ニ)、(ニ)・・が残されている。又同図(ｂ)に示すバケットエレベータでは、二列コンベヤチェーン(ロ)、(ロ)の先端にバケット(ホ)、(ホ)・・が取付けられているが、両コンベヤチェーン(ロ)、(ロ)の間に空間(ヘ)、(ヘ)が形成される。
【０００８】
このように、従来のバケット形態ではケーシング(ハ)に余分な隙間(ニ)、空間(ヘ)が存在することで、該ケーシング(ハ)の容積がフルに利用されず、その為に運搬効率は低下している。図８は上記図７(ａ)のケーシング底部に運搬物が堆積した場合を示しているが、堆積物(ト)はバケット(イ)のみならずコンベヤチェーン(ロ)にも接触して、該コンベヤチェーン(ロ)の摺動面へ侵入することでコンベヤチェーン(ロ)の寿命に大きな悪影響を与えている。すなわち、セメントなどの粉体はピン、ブッシュ、ローラ等の摺動面に侵入して研磨材として作用する。
【特許文献１】米国特許第２９４４６５７号
【発明の開示】
【発明が解決しようとする課題】
【０００９】
このように、従来のバケットエレベータには上記のごとき問題がある。本発明が解決しようとする課題はこれら問題点であって、１つにはケース容積に対する運搬効率の高いバケットエレベータ用バケットを提供することであり、他にはバケットを取付けるコンベヤチェーンの寿命を向上させることが出来るバケットを提供する。
【課題を解決するための手段】
【００１０】
本発明に係るバケットは、コンベヤケーシングの内部空間を有効に活用して高い効率でセメントや石炭等の粉体、粒状体である運搬物を運搬することが出来る形態としている。そこで、本発明では２列コンベヤチェーンのバケットコンベヤを対象とし、両コンベヤチェーンの間にバケットを取着する型式(図７ａ)では、コンベヤチェーンの外側であってケーシング側面側へ突出させることで、バケットの容積を拡大すると共に側面との間に残される隙間を小さくする。
【００１１】
一方、コンベヤチェーンの外側に取着される型式(図７ｂ)の場合であれば、両コンベヤチェーンの内側に凸部を形成した形態とすることでバケット容積の拡大を図っている。従って、バケット容積を拡大することで、開口側から見たバケットの内部空間は概略Ｔ型となる。そして、コンベヤチェーンの外リンクプレートはＬ型断面とし、バケットの内側板(突出しない部分の側板)と外背板(突出空間の背面板)に各片を夫々連結・固定する。
【００１２】
ところで、本発明のバケットは従来のバケットをそのまま利用し、該バケットの側板に補助バケットを取着することでバケット容積の拡大を図るように構成することが出来る。
【発明の効果】
【００１３】
このように、コンベヤチェーンに取着されるバケットの形態を変更することでケーシングとの間に残される隙間や空間を縮小し、ケーシング容積を有効活用出来、ひいては運搬効率を向上させ得る。時間当たりの運搬量を同一にすれば、ケーシング容積は小さくなり、又はコンベヤチェーンの走行スピードを落とすことも出来る。一方、ケーシングとの間に残される堆積物が少なくなることで、コンベヤチェーンの摺動面への運搬物の侵入が抑制され、コンベヤチェーンの寿命を延ばすことも出来る。そして、コンベヤチェーンの外リンクプレートをＬ型断面としてバケットの内側板と外背板に固定される為に、取付けられるバケットは安定する。
【００１４】
本発明のバケットは、新設のバケットコンベヤ用として利用するのみならず、既存のバケットコンベヤに取付けることが出来る。そこで、既存のバケットコンベヤに取着するならばバケット容積は大きく拡大され、運搬効率は向上する。そして、ケーシング下部への堆積物は少なくなり、そのことはコンベヤチェーンの寿命及びスプロケット寿命を延長させることが出来る。
【００１５】
一方、新たに設けるバケットコンベヤの場合には、バケットケーシングのサイズが同一であれば、上記既存のバケットコンベヤと同一効果を得ることが出来る。又、同一運搬量とすれば、バケットサイズを小さく出来、その結果、ケーシングを小型化することが可能となり、製作費を抑えることが出来、設置費の削減となる。
【００１６】
実施例では図示していないが、従動部軸受部の位置は、コンベヤチェーンの摩耗伸びを吸収するように、通常テークアップによって張り調整することが出来る構造としている。従来のバケットでは図８に示すように堆積物が多く側壁にも堆積するために、バケットの掬い込みにおいて大きな掘削力が必要となり、テークアップの動きに浮き上がりが生じる等の障害が出やすい。特に、堆積物が粒状物、固化した物や付着性のものは、コンベヤチェーンの張り調整が悪い。
【００１７】
ケーシング外部への運搬物の洩れ防止の為、該軸受部分をケーシング内部に設置する方法では、特に該軸受部分が堆積物に埋まるので、テークアップの動きが悪くなり、又摩耗し易い。ところが本発明では堆積物が少なく、かつ側壁付近の堆積が少ないのでバケットの掘削力が小さく、テークアップの動きも円滑となる。そして、内部に軸受部を設置する方式でも、該軸受部への運搬物の侵入が少ないことで、摩耗も抑制されて寿命は大幅に延びる。
【実施例】
【００１８】
以下、本発明に係る実施例を図面に基づいて詳細に説明する。
図１は本発明に係るバケットエレベータ用バケットを示す実施例である。該バケット１は同図に示すように、内背板２、傾斜内背板６、内側板３，３、外側板４，４、傾斜前板９、そして底板７から構成されて互いに溶接した一種の容器であり、上部には大きな開口８を有している。両内側板３，３にはボス１０，１０・・が溶接されていて、コンベヤチェーンにはこのボス１０，１０・・と外背板１１，１１を介して取着される。すなわち、コンベヤチェーンの外リンクプレートをＬ型断面形状として各片を上記ボス１０，１０及び外背板１１に当接してボルト締めされる。
【００１９】
従来のバケットの場合、内側板３，３が傾斜前板９まで延びていて、外側板４，４、及び外背板１１，１１を有しておらず、両外側板４，４を設けることでバケット１の容積は拡大される。そして、外方向へ突出しただけ、ケーシング側面との間の隙間は縮小される。
【００２０】
図２は上記図１に示すバケット１，１・・をコンベヤチェーンに取着したケーシング上部の駆動スプロケット部の外観を示している。同図の一点鎖線で示しているコンベヤチェーン１２は駆動スプロケット１３と従動スプロケット１８に巻き掛けられ、このコンベヤチェーン１２にはバケット１，１・・が等ピッチで取着されている。コンベヤチェーン１２は所定の間隔をおいて２列設けられ、この２列のコンベヤチェーン１２，１２の間にバケット１，１・・が挟まれた状態で取着され、該バケット１，１・・はコンベヤチェーン１２，１２の走行と共に循環して昇降する。
【００２１】
バケットエレベータはケーシングの下部に投入口が設けられ、この投入口から走行中のバケット１に運搬物が投入され、ケーシング上部の排出口付近でバケット１の向きが反転することで排出される。図３は従動スプロケット側のケーシング下部を示しているが、バケット１の側部を一部張出して突出空間１４，１４を形成していることで、ケーシング側面との隙間１５，１５は小さく成っている。
【００２２】
そして、同図から明らかなように、コンベヤチェーン１２の外リンクプレート１６はＬ型断面を成していて、その一片は内側板３に設けているボス１０，１０にボルト締めされ、他片は外背板１１とボルト締めにて連結している。このように、バケット１が両コンベヤチェーン１２，１２のＬ型外リンクプレート１６，１６に固定されることで、安定して取付けられる。
【００２３】
そして、図４は投入口から投入されてバケット１に入らないで、ケーシング下部に堆積した堆積物１７を示している。このようにバケット１の側部を一部張出すことで、バケット容積が拡大するだけでなく、ケーシング側面との隙間が縮小して、ケーシング下部の堆積物１７は少なくなる。
【００２４】
前記図８と比較することで明らかなように、従来のケーシング形態では下部の堆積物がコンベヤチェーンに触れてコンベヤチェーン１２の走行と共に、堆積物面を擦れ合うことになったが、本発明のように、側板の一部に突出空間１４，１４を形成することで、堆積物１７の量が少なくなると共にコンベヤチェーン１２と直接接触することはなくなる。従って、コンベヤチェーン摺動部への粉体や粒状物の侵入は抑制され、その結果、コンベヤチェーン１２の寿命は長くなる。
【００２５】
図５は本発明に係るバケットを示す他の実施例である。前記図１に示すバケットは内側板３，３の外方向に外側板４，４を張り出した形状とし、バケット容積を拡大している。しかし、同図に示すバケットは従来のバケットの両側に補助バケットを取付けて突出空間１４を構成している。取付け手段は特に限定しないが、該実施例では溶接にて固定している。そこで、補助バケットをボルト締めすることも可能である。
【００２６】
図６は本発明に係るバケット１の外観図であり、(ａ)は前記図１に示すバケット、(ｂ)は前記図５に示すバケットを立体的に表している。何れのバケットも両側へ突出した突出空間１４，１４を形成することで、バケット容量が拡大される。
【図面の簡単な説明】
【００２７】
【図１】本発明に係るバケットを示す実施例。
【図２】バケットコンベヤの上部。
【図３】バケットコンベヤの下部。
【図４】コンベヤケーシングの下部に溜まった堆積物。
【図５】本発明に係るバケットを示す他の実施例。
【図６】本発明に係るバケットを表す外観図。
【図７】従来のバケットコンベヤの一部。
【図８】図７(ａ)のバケットコンベヤ下部に溜まった堆積物。
【符号の説明】
【００２８】
１  バケット
２  内背板
３  内側板
４  外側板
６  傾斜内背板
７  底板
８  開口
９  傾斜前板
10  ボス
11  外背板
12  コンベヤチェーン
13  駆動スプロケット
14  突出空間
15  隙間
16  外リンクプレート
17  堆積物
18  従動スプロケット
【図１】
2005138980.tif 000003
【図２】
2005138980.tif 000004
【図３】
2005138980.tif 000005
【図４】
2005138980.tif 000006
【図５】
2005138980.tif 000007
【図６】
2005138980.tif 000008
【図７】
2005138980.tif 000009
【図８】
2005138980.tif 000010